【手続補正書】
【提出日】平成20年8月4日(2008.8.4)
【手続補正１】
【補正対象書類名】明細書
【補正対象項目名】特許請求の範囲
【補正方法】変更
【補正の内容】
【特許請求の範囲】
【請求項１】  物体側より順に負の屈折力の第１群、正の屈折力の第２群、正の屈折力の第３群、負の屈折力の第４群の４つの群より構成され、広角端から望遠端への変倍時に第１群と第２群との間隔は狭まり、第２群と第３群との間隔は広がるズームレンズにおいて、該第１群は像側に凹面を向けた負のメニスカスレンズ、物体側に凸面を向けた正のメニスカスレンズを有し、該第２群は少なくとも一つの正レンズと少なくとも一つの負レンズを有し、前記第３群を物体側に移動させて遠距離物体から近距離物体へのフォーカシングを行うことを特徴とするズームレンズ。
【請求項２】  前記第３群の焦点距離をｆ３、前記第４群の焦点距離をｆ４、広角端における第３群と第４群の合成系の焦点距離をｆ３４ｗ、広角端における全系の焦点距離をｆｗとしたとき、
３．０＜ｆ３４ｗ／ｆｗ＜５．２
１．５＜ｆ３／ｆｗ＜３．０
２．０＜｜ｆ４｜／ｆｗ＜１０．０
なる条件を満足することを特徴とする請求項１記載のズームレンズ。
【請求項３】  前記第３群と第４群の間隔は広角端より望遠端の方が広くなるように変化することを特徴とする請求項２記載のズームレンズ。
【請求項４】  前記第３群と第４群の間隔は広角端より望遠端の方が狭くなるように変化することを特徴とする請求項２記載のズームレンズ。
【請求項５】  前記第４群はズーミングに際して固定であることを特徴とする請求項３又は４記載のズームレンズ。
【請求項６】  前記第３群の最も物体側に位置するレンズ面の曲率半径をＲ３１、前記第３群の最も像側に位置するレンズ面の曲率半径をＲ３２、前記第４群の最も物体側に位置するレンズ面の曲率半径をＲ４１としたとき、
−０．６＜（Ｒ３２＋Ｒ３１）／（Ｒ３２−Ｒ３１）＜０．８
０．８＜Ｒ４１／Ｒ３２＜２０．０
なる条件を満足することを特徴とする請求項５記載のズームレンズ。
【請求項７】  物体側より順に負の屈折力の第１群、正の屈折力の第２群、正の屈折力の第３群、負の屈折力の第４群の４つの群より構成され、広角端から望遠端への変倍時に第１群と第２群との間隔は狭まり、第２群と第３群との間隔は広がるズームレンズにおいて、第１群は像側に凹面を向けた負のメニスカスレンズ、物体側に凸面を向けた正のメニスカスレンズを有し、該第２群は少なくとも一つの正レンズと少なくとも一つの負レンズを有し、該第３群は１枚の正レンズにより構成され、該第４群は負レンズ１枚のみで構成されることを特徴とするズームレンズ。
【請求項８】  前記第３群の焦点距離をｆ３、前記第４群の焦点距離をｆ４、広角端における第３群と第４群の合成系の焦点距離をｆ３４ｗ、広角端における全系の焦点距離をｆｗとしたとき、
３．０＜ｆ３４ｗ／ｆｗ＜５．２
１．５＜ｆ３／ｆｗ＜３．０
２．０＜｜ｆ４｜／ｆｗ＜１０．０
なる条件を満足することを特徴とする請求項７記載のズームレンズ。
【請求項９】  前記第３群は両凸レンズ、前記第４群は物体側に凹面を向けた負レンズであることを特徴とする請求項８記載のズームレンズ。
【請求項１０】  前記第３群の最も物体側に位置するレンズ面の曲率半径をＲ３１、前記第３群の最も像側に位置するレンズ面の曲率半径をＲ３２、前記第４群の最も物体側に位置するレンズ面の曲率半径をＲ４１としたとき、
−０．６＜（Ｒ３２＋Ｒ３１）／（Ｒ３２−Ｒ３１）＜０．８
０．８＜Ｒ４１／Ｒ３２＜２０．０
なる条件を満足することを特徴とする請求項９記載のズームレンズ。
【請求項１１】  前記第１群の負レンズの少なくとも一つのレンズ面は非球面であり、該非球面は光軸から周辺に向かってしだいに発散作用が弱まる形状であることを特徴とする請求項６又は１０記載のズームレンズ。
【請求項１２】  前記第２群の正レンズの少なくとも一つのレンズ面は非球面であり、該非球面は光軸から周辺に向かってしだいに収斂作用が弱まる形状であることを特徴とする請求項６又は１０記載のズームレンズ。
【請求項１３】  前記第３群の正レンズの少なくとも一つのレンズ面は非球面であり、該非球面は光軸から周辺に向かってしだいに収斂作用が弱まる形状であることを特徴とする請求項６又は１０記載のズームレンズ。
【手続補正２】
【補正対象書類名】明細書
【補正対象項目名】００２１
【補正方法】変更
【補正の内容】
【００２１】
（１）物体側より順に負の屈折力の第１群、正の屈折力の第２群、正の屈折力の第３群、負の屈折力の第４群の４つの群より構成され、広角端から望遠端への変倍時に第１群と第２群との間隔は狭まり、第２群と第３群との間隔は広がるズームレンズにおいて、第１群は像側に凹面を向けた負のメニスカスレンズ、物体側に凸面を向けた正のメニスカスレンズを有し、第２群は少なくとも一つの正レンズと少なくとも一つの負レンズを有し、第３群を物体側に移動させて遠距離物体から近距離物体へのフォーカシングを行うよう横成されたズームレンズ。
【手続補正３】
【補正対象書類名】明細書
【補正対象項目名】００２５
【補正方法】変更
【補正の内容】
【００２５】
（５）第４群はズーミングに際して固定であるズームレンズ。
【手続補正４】
【補正対象書類名】明細書
【補正対象項目名】００２７
【補正方法】変更
【補正の内容】
【００２７】
−０．６＜（Ｒ３２＋Ｒ３１）／（Ｒ３２−Ｒ３１）＜０．８
０．８＜Ｒ４１／Ｒ３２＜２０．０
（７）物体側より順に負の屈折力の第１群、正の屈折力の第２群、正の屈折力の第３群、負の屈折力の第４群の４つの群より構成され、広角端から望遠端への変倍時に第１群と第２群との間隔は狭まり、第２群と第３群との間隔は広がるズームレンズにおいて、第１群は像側に凹面を向けた負のメニスカスレンズ、物体側に凸面を向けた正のメニスカスレンズを有し、第２群は少なくとも一つの正レンズと少なくとも一つの負レンズを有し、第３群は１枚の正レンズにより構成され、第４群は負レンズ１枚のみで構成されるズームレンズ。
【手続補正５】
【補正対象書類名】明細書
【補正対象項目名】００３１
【補正方法】変更
【補正の内容】
【００３１】
−０．６＜（Ｒ３２＋Ｒ３１）／（Ｒ３２−Ｒ３１）＜０．８
０．８＜Ｒ４１／Ｒ３２＜２０．０
（１１）第１群の負レンズの少なくとも一つのレンズ面は非球面であり、非球面は光軸から周辺に向かってしだいに発散作用が弱まる形状で構成されたズームレンズ。
【手続補正６】
【補正対象書類名】明細書
【補正対象項目名】００３２
【補正方法】変更
【補正の内容】
【００３２】
（１２）第２群の正レンズの少なくとも一つのレンズ面は非球面であり、非球面は光軸から周辺に向かってしだいに収斂作用が弱まる形状で構成されたズームレンズ。
【手続補正７】
【補正対象書類名】明細書
【補正対象項目名】００３３
【補正方法】変更
【補正の内容】
【００３３】
（１３）第３群の正レンズの少なくとも一つのレンズ面は非球面であり、非球面は光軸から周辺に向かってしだいに収斂作用が弱まる形状で構成されたズームレンズ。
【手続補正８】
【補正対象書類名】明細書
【補正対象項目名】００３５
【補正方法】変更
【補正の内容】
【００３５】
本実施例では、物体側より順に、負の屈折力の第１群、正の屈折力の第２群、正の屈折力の第３群、そして負の屈折力の第４群の４つの群より構成されており、広角端から望遠端へのズーミングに際して、第１群は像側に凸の往復運動もしくはこの一部の運動、第２群は物体側に移動し、第３群は移動もしくは固定、第４群は固定である。よって、広角端から望遠端に向かって、第１群と第２群間は狭まり、第２群と第３群間は広がるよう構成される。
【手続補正９】
【補正対象書類名】明細書
【補正対象項目名】００５２
【補正方法】変更
【補正の内容】
【００５２】
負の第１群は、軸外主光線を絞り中心に瞳結像させる役割を持っており、特に広角側においては軸外主光線の屈折量が大きいために軸外諸収差、とくに非点収差と歪曲収差が発生し易い。そこで、通常の広角レンズ同様もっとも物体側のレンズ径の増大が抑えられる凹−凸の構成としている。第１群を構成する各レンズは、軸外主光線の屈折によって生じる軸外収差の発生を抑えるために絞り中心を中心とする同心球面に近い形状をとっている。すなわち、負レンズ１１、負レンズ１２は像側に凹面を向けたメニスカスレンズとし、正レンズ１３は物体側に凸面を向けたメニスカスレンズとしている。
【手続補正１０】
【補正対象書類名】明細書
【補正対象項目名】００８１
【補正方法】変更
【補正の内容】
【００８１】
本実施例は物体側から順に負の第１群、正の第２群、正の第３群、負の第４群で構成され広角端から望遠端へのズーミングに際し、第１群は像側に凸の往復運動、第２群は物体側へ移動、第３群、第４群は固定であり、第１群と第２群との間隔は狭まるよう、第２群と第３群の間隔は広がるように変化する。フォーカシングは第３群を物体側に繰出して遠距離物体から近距離物体への合焦を行う。
【手続補正１１】
【補正対象書類名】明細書
【補正対象項目名】００８４
【補正方法】変更
【補正の内容】
【００８４】
（第２の実施例）
本数値実施例の断面図を図５に、広角端、中間位置、望遠端での収差図を図６、図７、図８に示す。本実施例は物体側から順に負の第１群、正の第２群、正の第３群、負の第４群で構成され、広角端から望遠端へのズーミングに際し、第１群は像側に凸の往復運動、第２群は物体側へ移動、第３群は像側へ移動、第４群は固定であり、第１群と第２群との間隔は狭まるよう、第２群と第３群の間隔は広がるよう、第３群と第４群の間隔は狭まるように変化する。フォーカシングは第３群を物体側に繰出して遠距離物体から近距離物体への合焦を行う。
【手続補正１２】
【補正対象書類名】明細書
【補正対象項目名】００８７
【補正方法】変更
【補正の内容】
【００８７】
（第３の実施例）
本数値実施例の断面図を図９に、広角端、中間位置、望遠端での収差図を図１０、図１１、図１２に示す。本実施例は物体側から順に負の第１群、正の第２群、正の第３群、負の第４群で構成され、広角端から望遠端へのズーミングに際し、第１群は像側に凸の往復運動、第２群は物体側へ移動、第３群は像側へ移動、第４群は固定であり、第１群と第２群との間隔は狭まるよう、第２群と第３群の間隔は広がるよう、第３群と第４群の間隔は狭まるように変化する。フォーカシングは第３群を物体側に繰出して遠距離物体から近距離物体への合焦を行う。
【手続補正１３】
【補正対象書類名】明細書
【補正対象項目名】００９０
【補正方法】変更
【補正の内容】
【００９０】
（第４の実施例）
本数値実施例の断面図を図１３に、広角端、中間位置、望遠端での収差図を図１４、図１５、図１６に示す。本実施例は物体側から順に負の第１群、正の第２群、正の第３群、負の第４群で構成され、広角端から望遠端へのズーミングに際し、第１群は像側に凸の往復運動、第２群は物体側へ移動、第３群は像側へ移動、第４群は固定であり、第１群と第２群との間隔は狭まるよう、第２群と第３群の間隔は広がるよう、第３群と第４群の間隔は狭まるように変化する。フォーカシングは第３群を物体側に繰出して遠距離物体から近距離物体への合焦を行う。
【手続補正１４】
【補正対象書類名】明細書
【補正対象項目名】００９３
【補正方法】変更
【補正の内容】
【００９３】
（第５の実施例）
本数値実施例の断面図を図１７に、広角端、中間位置、望遠端での収差図を図１８、図１９、図２０に示す。本実施例は物体側から順に負の第１群、正の第２群、正の第３群、負の第４群で構成され、広角端から望遠端へのズーミングに際し、第１群は像側に凸の往復運動、第２群は物体側へ移動、第３群は像側へ移動、第４群は固定であり、第１群と第２群との間隔は狭まるよう、第２群と第３群の間隔は広がるよう、第３群と第４群の間隔は広がるように変化する。フォーカシングは第３群を物体側に繰出して遠距離物体から近距離物体への合焦を行う。
【手続補正１５】
【補正対象書類名】明細書
【補正対象項目名】００９６
【補正方法】変更
【補正の内容】
【００９６】
（第６の実施例）
本数値実施例の断面図を図２１に、広角端、中間位置、望遠端での収差図を図２２、図２３、図２４に示す。本実施例は物体側から順に負の第１群、正の第２群、正の第３群、負の第４群で構成され、広角端から望遠端へのズーミングに際し、第１群は像側に凸の往復運動、第２群は物体側へ移動、第３群は像側へ移動、第４群は固定であり、第１群と第２群との間隔は狭まるよう、第２群と第３群の間隔は広がるよう、第３群と第４群の間隔は広がるように変化する。フォーカシングは第３群を物体側に繰出して遠距離物体から近距離物体への合焦を行う。